(57)【要約】【課題】パッケージ化された商品を整列した配置で陳列する商品陳列具を、店舗内の商品陳列棚に設置するにあたり、使い勝手が良く、かつ安価な商品陳列具を提供する。【解決手段】商品陳列具１は、前端で前方側板部１０と接続する支持部２０を２つ、左右方向Ｘに離間した位置に有し、各支持部２０は、スライダー４０のガイド２２と、後側に垂設するバランス保持部３０とを具備する。スライダー４０は、配置した商品パッケージ９０と当接可能なパッケージ当接面４２を含む本体部４１と、本体部４１の後側に形成された膨出部４３と、ガイド２２と係留する係留部４５とを有し、前方側板部１０との間にコイルバネ５０を介在し、各支持部２０上を移動する。コイルバネ５０は、前方側板部１０の第１係止部１４と、膨出部４３の第２係止部４４との間を、本体部４１の下を通じることにより本体部４１に覆われた状態で、前方側板部１０側に付勢して装着されている。【選択図】 図１
2019017712.tif 000002
【特許請求の範囲】
【請求項１】
上下方向に垂設された前方側板部と、前後方向に沿い該前方側板部に向けて移動可能なスライダーとを有し、商品を収容した商品パッケージを、該前方側板部と該スライダーとの間に整列した配置で陳列する商品陳列具において、
前記商品パッケージを載置する載置面が前記前後方向に沿って延び、前記前後方向前端で前記前方側板部と一体で接続する支持部を２つ、前記上下方向かつ前記前後方向に直交する左右方向に対し、互いに離間した位置に有し、前記２つの支持部には、前記スライダーを直線的な動きで摺動させるガイドと、前記前後方向後側に、前記上下方向に後方側板部を垂設したバランス保持部と、が具備されていること、
前記スライダーは、前記前後方向に対し、配置した前記商品パッケージと当接可能なパッケージ当接面を前側に含み、後側に向けて厚みを有して立設された本体部と、前記本体部の後側に膨らんで形成された膨出部と、前記ガイドと係留可能な係留部と、を有し、前記前方側板部との間に弾性部材を介在して、前記２つの支持部上を移動すること、
前記弾性部材は、前記前方側板部の下端に位置する第１係止部と、前記膨出部の下端に位置する第２係止部との間を、前記本体部の下を通じることにより、前記本体部に覆われた状態で、前記前方側板部側に付勢して設けられていること、
を特徴とする商品陳列具。
【請求項２】
請求項１に記載する商品陳列具において、
前記バランス保持部は、前方側板部と直交して前記前後方向に延びる底部を有し、前記底部には、磁石が配設されていること、
を特徴とする商品陳列具。
【請求項３】
請求項１または請求項２に記載する商品陳列具において、
前記弾性部材は、前記２つの支持部に挟まれ、かつ前記各支持部の前記載置面より低い位置に配置されていること、
を特徴とする商品陳列具。
【請求項４】
請求項１乃至請求項３のいずれか１つに記載する商品陳列具において、
前記後方側板部は、前記スライダーの高さに対し、１／２以上の高さで形成されていること、
を特徴とする商品陳列具。
【請求項５】
請求項１乃至請求項４のいずれか１つに記載する商品陳列具において、
前記商品パッケージは、デジタル情報を記録したディスクを、専用のケースに収容してパッケージ化されたケース入りの商品であり、
当該商品陳列具は、前記ケース入りの商品を、客への販売または客への貸し出しを行う店舗で、商品陳列棚の上に設置して使用するものであること、
を特徴とする商品陳列具。
【発明の詳細な説明】
【技術分野】
【０００１】
本発明は、例えば、音楽等を収録したＣＤ、映像等を収録したＤＶＤ等、デジタル情報を記録したディスクのほか、医薬品等の商品を収容した商品パッケージを、店舗内の棚に整列した配置で陳列するのに用いる商品陳列具に関する。
【背景技術】
【０００２】
例えば、音楽等を収録したＣＤ（Compact Disc）、映像等を収録したＤＶＤ（Digital Versatile Disc）（以下、単に「ＣＤ」や「ＤＶＤ」と称す。）等を、客への販売や貸し出しを行う店舗の中には、このようなＣＤ等の商品を一つずつ、専用の陳列用ケースに収容してパッケージ化された商品態様で、数多くの種類のＣＤ等を取り扱う店舗もある。このような店舗では、店内の商品陳列棚上に商品陳列具が設置されており、陳列用ケース入りの商品は、その種類毎に分別し、同じ商品毎に複数まとめた状態で、この商品陳列具上に載置して陳列される。その商品陳列具の一例が、特許文献１に開示されている。
【０００３】
図１４は、特許文献１の陳列具にＣＤケースを陳列した状態を示す斜視図である。図１５は、特許文献１の陳列具を、正面板を取外した状態で示す斜視図である。図１６は、従来技術に係る略コ字型の陳列具を示す斜視図である。図１７は、図１５に示した状態の陳列具に、図１６に示す略コ字型の陳列具を取付けた状態を示す斜視図である。
【０００４】
特許文献１は、底板１１３に対し、その後方端で左右中央部に背板１１２を垂設すると共に、前方端に正面板１１１を、底板１１３と着脱可能に垂設し、正面板１１１と背板１１２との間で底板１１３の前後方向に沿って移動可能なスライダー１４０を、背板１１２との間に介在したコイルバネ１５０により、正面板１１１側に付勢したＣＤ等の陳列具１０１である。特許文献１では、ＣＤケース１９０（陳列用ケース入りの商品）が複数、正面板１１１とスライダー１４０との間の底板１１３上に、整列した積層状態で載置され、正面板１１１に当接した一番前のＣＤケース１９０が、当該陳列具１０１から取り出されると、コイルバネ１５０の付勢力でスライダー１４０が前方に移動することにより、そのＣＤケース１９０に隣接する二番目のＣＤケース１９０が、一番前に送出される。
【０００５】
また、特許文献１によれば、特許文献１の陳列具１０１が開発される前、略コ字型の陳列具２０１が長年、商品陳列棚で使用されてきたが、特許文献１の陳列具１０１では、この略コ字型の陳列具２０１も併用して使用することを前提に、正面板１１１が、底板１１３から取り外しできる構造になっている。特許文献１の陳列具１０１を、略コ字型の陳列具２０１と併用して使用する場合には、特許文献１の陳列具１０１は、その正面板１１１を取り外した状態で、略コ字型の陳列具２０１における正面板２１１と背板２１２の間に装着して用いられる。
【先行技術文献】
【特許文献】
【０００６】
【特許文献１】特開２００７−１２５１４６号公報
【発明の概要】
【発明が解決しようとする課題】
【０００７】
しかしながら、特許文献１の陳列具１０１では、コイルバネ１５０が、スライダー１４０と背板１１２との間で、客の視野に入る位置に露出した状態で配設されているため、客に対し、外観上の見栄えは良くない。また、コイルバネ１５０の大半部分が露出しており、埃等の異物が経時的に付着し易く、スライダー１４０は、コイルバネ１５０に付着した異物に起因して、前後方向に滑らかに動き難くなるため、スライダー１４０によるＣＤケース１９０の送出に支障が生じる。他方で、店員が、このような異物をコイルバネ１５０から除去する作業を、頻繁に行わなければならず、作業者にとって手間が掛かる。
【０００８】
ところで、ＣＤ等の販売や貸し出しを客に行う店舗では、客は、購入しようとするＣＤ等や、レンタルしようとするＣＤ等を、商品陳列具に陳列されているＣＤ等の中から取り出して会計に進む。その一方で、店員は、新たなＣＤ等をこの商品陳列具に補充して陳列することや、客から返却されたＣＤ等を元の商品陳列具に戻して再び陳列することを行う。このように、ＣＤ等が、商品陳列具に頻繁に出し入れされることから、商品陳列具の使用開始後、一定期間が経過すると、商品陳列具が劣化する虞がある。
【０００９】
他方、このような店舗等では近年、競合する店舗との間で競争が激しいため、店舗は、客に対し、利便性を高め、サービスの向上に努めた販売活動を積極的に推進している。その販売活動の一つとして、店舗では、劣化した商品陳列具の更新が、定期的に行われている。そのため、店舗は、その定期的な更新を考慮して、コストの安価な最新の商品陳列具を求めている傾向にある。
【００１０】
特許文献１の陳列具１０１では、正面板１１１が、底板１１３に対し着脱可能な構造で構成されているため、正面板１１１と底板１１３との連結部の構造が複雑になり、特許文献１の陳列具１０１はコスト高である。そもそも、特許文献１では、略コ字型の陳列具２０１と併用して使用する場合には、正面板１１１を底板１１３から取り外す必要があるが、前述したように、実際の店舗で、最新の商品陳列具に更新するとき、略コ字型の陳列具２０１を使用しない場合が多々ある。この場合、正面板１１１を底板１１３から取り外す必要性は全くない。従って、略コ字型の陳列具２０１を使用しない場合には、正面板１１１を底板１１３と着脱可能な構造に構成することは、むしろコストアップを招き、阻害要因となっている。
【００１１】
本発明は、上記問題点を解決するためになされたものであり、パッケージ化された商品を整列した配置で陳列する商品陳列具を、店舗内の商品陳列棚に設置するにあたり、使い勝手が良く、かつ安価な商品陳列具を提供することを目的とする。
【課題を解決するための手段】
【００１２】
上記目的を達成するために、本発明に係る商品陳列具は、以下の構成を有する。
（１）上下方向に垂設された前方側板部と、前後方向に沿い該前方側板部に向けて移動可能なスライダーとを有し、商品を収容した商品パッケージを、該前方側板部と該スライダーとの間に整列した配置で陳列する商品陳列具において、前記商品パッケージを載置する載置面が前記前後方向に沿って延び、前記前後方向前端で前記前方側板部と一体で接続する支持部を２つ、前記上下方向かつ前記前後方向に直交する左右方向に対し、互いに離間した位置に有し、前記２つの支持部には、前記スライダーを直線的な動きで摺動させるガイドと、前記前後方向後側に、前記上下方向に後方側板部を垂設したバランス保持部と、が具備されていること、前記スライダーは、前記前後方向に対し、配置した前記商品パッケージと当接可能なパッケージ当接面を前側に含み、後側に向けて厚みを有して立設された本体部と、前記本体部の後側に膨らんで形成された膨出部と、前記ガイドと係留可能な係留部と、を有し、前記前方側板部との間に弾性部材を介在して、前記２つの支持部上を移動すること、前記弾性部材は、前記前方側板部の下端に位置する第１係止部と、前記膨出部の下端に位置する第２係止部との間を、前記本体部の下を通じることにより、前記本体部に覆われた状態で、前記前方側板部側に付勢して設けられていること、を特徴とする。
（２）（１）に記載する商品陳列具において、前記バランス保持部は、前方側板部と直交して前記前後方向に延びる底部を有し、前記底部には、磁石が配設されていること、を特徴とする。
（３）（１）または（２）に記載する商品陳列具において、前記弾性部材は、前記２つの支持部に挟まれ、かつ前記各支持部の前記載置面より低い位置に配置されていること、を特徴とする。
（４）（１）乃至（３）のいずれか１つに記載する商品陳列具において、前記後方側板部は、前記スライダーの高さに対し、１／２以上の高さで形成されていること、を特徴とする。
（５）（１）乃至（４）のいずれか１つに記載する商品陳列具において、前記商品パッケージは、デジタル情報を記録したディスクを、専用のケースに収容してパッケージ化されたケース入りの商品であり、当該商品陳列具は、前記ケース入りの商品を、客への販売または客への貸し出しを行う店舗で、商品陳列棚の上に設置して使用するものであること、を特徴とする。
【発明の効果】
【００１３】
上記構成を有する本発明の商品陳列具の作用・効果について説明する。
（１）上下方向に垂設された前方側板部と、前後方向に沿い該前方側板部に向けて移動可能なスライダーとを有し、商品を収容した商品パッケージを、該前方側板部と該スライダーとの間に整列した配置で陳列する商品陳列具において、商品パッケージを載置する載置面が前後方向に沿って延び、前後方向前端で前方側板部と一体で接続する支持部を２つ、上下方向かつ前後方向に直交する左右方向に対し、互いに離間した位置に有し、２つの支持部には、スライダーを直線的な動きで摺動させるガイドと、前後方向後側に、上下方向に後方側板部を垂設したバランス保持部と、が具備されていること、スライダーは、前後方向に対し、配置した商品パッケージと当接可能なパッケージ当接面を前側に含み、後側に向けて厚みを有して立設された本体部と、本体部の後側に膨らんで形成された膨出部と、ガイドと係留可能な係留部と、を有し、前方側板部との間に弾性部材を介在して、２つの支持部上を移動すること、弾性部材は、前方側板部の下端に位置する第１係止部と、膨出部の下端に位置する第２係止部との間を、本体部の下を通じることにより、本体部に覆われた状態で、前方側板部側に付勢して設けられていること、を特徴とする。この特徴により、本発明の商品陳列具は、特許文献１の陳列具に比して、弾性部材に対し、埃等の異物の経時的な付着を、大幅に抑制することができるほか、特許文献１の陳列具と異なり、弾性部材に付着した埃等の異物を頻繁に除去する必要がなく、商品陳列具のメンテナンスが簡素化できる。加えて、本発明の商品陳列具では、弾性部材が、客の視野にほとんど入らない位置に配設されているため、特許文献１の陳列具に比して、本発明の商品陳列具における外観上の見栄えは良い。また、本発明の商品陳列具は、必要のない仕様を排除してシンプルな構造で構成されているため、安価である。
【００１４】
従って、本発明に係る商品陳列具によれば、パッケージ化された商品を整列した配置で陳列する商品陳列具を、店舗内の商品陳列棚に設置するにあたり、使い勝手が良く、かつ安価に提供することができる、という優れた効果を奏する。
【００１５】
（２）に記載する商品陳列具において、バランス保持部は、前方側板部と直交して前後方向に延びる底部を有し、底部には、磁石が配設されていること、を特徴とする。この特徴により、商品陳列棚が、例えば、鉄板等、磁性を有した材料で構成されていれば、本発明の商品陳列具を商品陳列棚に置くだけで、本発明の商品陳列具が商品陳列棚に簡単に固定できる。
【００１６】
（３）に記載する商品陳列具において、弾性部材は、２つの支持部に挟まれ、かつ各支持部の載置面より低い位置に配置されていること、を特徴とする。この特徴により、商品パッケージを整列配置で本発明の商品陳列具に陳列した状態では、弾性部材の上方側を、スライダーの本体部と、支持部の載置面上に載置した商品パッケージで、その側方側を、２つの支持部で覆うことができる。そのため、弾性部材に埃等の異物が経時的に付着するのを抑制することができることから、弾性部材において、異物の付着に起因した伸縮の不具合が発生し難くなり、スライダーによる商品パッケージの送出動作を、長期間、スムーズに維持することができる。加えて、弾性部材は、客の視野にほとんど入らないため、本発明の商品陳列具における外観上の見栄えも良い。
【００１７】
（４）に記載する商品陳列具において、後方側板部は、スライダーの高さに対し、１／２以上の高さで形成されていること、を特徴とする。この特徴により、本発明の商品陳列具が特に、後方側板部を壁に当接可能な状態で商品陳列棚に設置されている場合、店員等が、持ち運ばれてきた商品パッケージを、本発明の商品陳列具の支持部の載置面に載置して陳列しようとするとき、前方側板部側で本発明の商品陳列具の浮上を効果的に防止することができる。
【００１８】
（５）に記載する商品陳列具において、商品パッケージは、デジタル情報を記録したディスクを、専用のケースに収容してパッケージ化されたケース入りの商品であり、当該商品陳列具は、ケース入りの商品を、客への販売または客への貸し出しを行う店舗で、商品陳列棚の上に設置して使用するものであること、を特徴とする。この特徴により、本発明の商品陳列具は、シンプルな構造にもかかわらず、より機能的に構成されているため、店舗に訪れた客が、所望のケース入りの商品を商品陳列具から取り出す場合や、店員が、ケース入りの商品を本発明の商品陳列具に陳列する作業を行う場合でも、本発明の商品陳列具の使い勝手は良い。ひいては、本発明の商品陳列具は、店舗側にとって、ケース入りの商品を店内で陳列する上で、コストパフォーマンスに富む陳列具となり得る。
【図面の簡単な説明】
【００１９】
【図１】実施形態に係る商品陳列具を前方から見た斜視図であり、商品パッケージを陳列した状態を示す説明図である。
【図２】実施形態に係る商品陳列具を示す正面図である。
【図３】実施形態に係る商品陳列具を示す背面図である。
【図４】実施形態に係る商品陳列具を示す平面図である。
【図５】実施形態に係る商品陳列具を示す底面図である。
【図６】実施形態に係る商品陳列具を示す右側側面図である。
【図７】実施形態に係る商品陳列具を示す左側側面図である。
【図８】実施形態に係る商品陳列具を逆さにして示した斜視図である。
【図９】実施形態に係る商品陳列具を後方から見た斜視図である。
【図１０】図９に示す商品陳列具の分解斜視図である。
【図１１】図９中、Ａ−Ａ矢視断面図である。
【図１２】実施形態に係る商品陳列具の作用を説明する図であり、商品パッケージを取り出すときの様子を示す図である。
【図１３】実施形態に係る商品陳列具の作用を説明する図であり、商品パッケージを載置するときの様子を示す図である。
【図１４】特許文献１の陳列具にＣＤケースを陳列した状態を示す斜視図である。
【図１５】特許文献１の陳列具を、正面板を取外した状態で示す斜視図である。
【図１６】従来技術に係る略コ字型の陳列具を示す斜視図である。
【図１７】図１５に示した状態の陳列具に、図１６に示す略コ字型の陳列具を取付けた状態を示す斜視図である。
【発明を実施するための形態】
【００２０】
以下、本発明に係る商品陳列具について、実施形態を図面に基づいて詳細に説明する。
本発明の商品陳列具は、本実施形態では、例えば、音楽等を収録したＣＤ、映像等を収録したＤＶＤ等、デジタル情報を記録したディスクを、商品として、客に貸し出しを行う店舗（いわゆるＣＤ等の「レンタルショップ」）を対象に、店内の商品陳列棚上に設置して使用されるものである。このような店舗は、数多くの種類のＣＤ等を取り扱っている。ＣＤ等の商品は一つずつ、専用の陳列用ケースに収容してパッケージ化された商品態様になっており、陳列用ケース入りの商品は、その種類毎に分別し、同じ商品毎に複数まとめた状態で、本発明の商品陳列具上に載置して陳列される。
【００２１】
図１は、実施形態に係る商品陳列具を前方から見た斜視図であり、商品パッケージを陳列した状態を示す説明図である。図２〜図７は、実施形態に係る商品陳列具を示す六面図であり、六面図のうち、正面図を図２に、背面図を図３に、平面図を図４に、底面図を図５に、右側側面図を図６に、左側側面図を図７に、それぞれ示す。なお、商品陳列具１において、図１中、左上‐右下方向を「左右方向Ｘ」とし、左下‐右上方向を「前後方向Ｙ」とし、上‐下方向を「上下方向Ｚ」として、商品陳列具１の方向を定義し、図２以降についても、図１で定義した方向に準じる。
【００２２】
はじめに、商品陳列具１の概要について、説明する。商品陳列具１は、上下方向Ｚに垂設された前方側板部１０と、前後方向Ｙに沿い前方側板部１０に向けて移動可能なスライダー４０とを有し、客に貸し出すＣＤ等の商品を収容した商品パッケージ９０を、前方側板部１０とスライダー４０との間に、整列配置で陳列するのに用いられる。商品パッケージ９０は、本体ケースに溶着した透明フィルムを、この本体ケースの表裏側の表面に被せ、このフィルムと本体ケースの表面との間に、商品のタイトル等を表示した台紙を挿入した態様になっている。図１及び図８に示すように、商品陳列具１は、大別して基部２、磁石３５、スライダー４０、及びコイルバネ５０（弾性部材）の５種の部材からなる。
【００２３】
スライダー４０について、説明する。スライダー４０は、基部２のうち、２つの支持部２０の載置面２１上に配置された複数の商品パッケージ９０を、基部２の前方側板部１０と共に挟み込むことで、整列配置で積層された状態にあるこれらの商品パッケージ９０の姿勢を保持する機能を有する。また、積層されている複数の商品パッケージ９０の中から、商品パッケージ９０が取り出されたとき、スライダー４０は、前方側板部１０に向けて移動することにより、その残りの商品パッケージ９０を押圧して前方側板部１０側に送出する機能も有する。
【００２４】
図９〜図１１に示すように、スライダー４０は、前後方向Ｙに対し、配置した商品パッケージ９０と当接可能なパッケージ当接面４２を前側に含み、後側に向けて厚みを有して立設された本体部４１と、本体部４１の後側に膨らんで形成された膨出部４３と、ガイド２２と係留可能な係留部４５と、を有している。スライダー４０は、本実施形態では、例えば、耐衝撃性ポリスチレン（HIPS：High Impact Polystyrene）等、有色の樹脂で、射出成形法により成形され、スライダー４０を構成する本体部４１、膨出部４３、及び係留部４５等は、一体構造となっている。
【００２５】
なお、スライダー４０の材質は、ＨＩＰＳ材に限定されるものではなく、射出成形で成形可能な樹脂なら、何でも良い。
【００２６】
係留部４５は、摺動突起部４６と係留片４７とからなる。摺動突起部４６は、図９及び図１０に示すように、係留部４５の裏側（図９及び図１０中、下側）に位置する端面のうちの一部が、下に向けて突出した突起部であり、前後方向Ｙに沿って形成されている。係留片４７は、図８及び図１１に示すように、本体部４１の側壁の一部を下側に延出し、その下端を９０°屈曲したＬ字型の先端部分であり、フック状に形成されている。
【００２７】
コイルバネ５０について、説明する。コイルバネ５０が、本実施形態では、商品陳列具１の左右方向Ｘ中央に１つ、装着されている。コイルバネ５０は、その両端部を、前方側板部１０の下端で左右方向Ｘ中央に形成された第１係止部１４と、膨出部４３の裏側で左右方向Ｘ中央の位置に形成された第２係止部４４とに係止して、本体部４１の下を通じた配置により、本体部４１に覆われた状態で、前方側板部１０側に付勢して設けられている。コイルバネ５０は、バネの復元力を利用して、スライダー４０を前方側板部１０側に移動させる駆動源として用いられ、コイルバネ５０が自然長の状態では、スライダー４０は、図１１に示す位置にある。
【００２８】
次に、基部２について、説明する。基部２は、商品陳列具１のボディをなす部材であり、前方側板部１０と、２つの支持部２０と、２つのバランス保持部３０等とを有している。基部２は、例えば、ポリカーボネート（PC：Polycarbonate）、耐衝撃性ポリスチレン（HIPS：High Impact Polystyrene）、ＡＢＳ樹脂（アクリロニトリル (Acrylonitrile)、ブタジエン (Butadiene)、スチレン (Styrene)共重合合成樹脂）等、無色透明の樹脂で、射出成形法により成形され、基部２を構成する前方側板部１０、支持部２０、及びバランス保持部３０等が、一体構造となっている。
【００２９】
前方側板部１０は、図９〜図１１に示すように、間隙１５を挟んで、前面板１２と離間した把持板１３を有している。ポップ広告は、前面板１２と把持板１３とにより挟み込まれて保持される。間隙１５では、把持板１３の先端部１３Ｔにより間口だけが拡がっているため、前方側板部１０では、店員が、陳列する商品パッケージ９０内の商品を紹介したポップ広告を、間隙１５に挿入するとき、ポップ広告が、間隙１５に入り易くなっている。
【００３０】
ところで、従来の陳列具１０１では、正面板１１１の奥側（図１４中、右側）にある把持板１１１Ａは、商品陳列具１の把持板１３より薄い平板状で、先端の周囲近傍に丸みのない略尖端形状となっていた。前述したように、商品パッケージ９０と同様、商品パッケージ１９０も、本体ケースに溶着した透明フィルムを、この本体ケースの表裏側の表面に被せ、このフィルムと本体ケースの表面との間に、商品のタイトル等を表示した台紙を挿入した態様になっている。従来の陳列具１０１の使用では、店員が、商品パッケージ１９０を、図１４に示すように、正面板１１１とスライダー１４０との間に挿入して陳列しようとすると、商品パッケージ１９０における本体ケースの表面と透明フィルムとの間に、誤って把持板１１１Ａが入り込んでしまい、台紙の破れや台紙の折れ曲がり等の損傷が生じ易く、問題となっていた。
【００３１】
これに対し、商品陳列具１では、把持板１３は、その上方端に、前面板１２から離間する向きに傾斜した先端部１３Ｔを有し、先端部１３Ｔは、把持板１３内の他の部分よりも肉厚で、先端の周囲近傍に丸みを付けた曲面形状に形成されている。この先端部１３Ｔにより、店員が、図１３に示すように、把持板１３とスライダー４０との間に、商品パッケージ９０を挿入して陳列するときでも、商品パッケージ９０における本体ケースの表面と透明フィルムとの間に、誤って把持板１３が入り込んでしまうのを、効果的に抑制できている。ひいては、台紙の破れや台紙の折れ曲がり等の損傷を抑止することができている。
【００３２】
また、前方側板部１０の把持板１３の裏側（図１１中、把持板１３の右側）には、コイルバネ５０の一端を係止する第１係止部１４が、前方側板部１０の左右方向Ｘ中央の下端位置に形成されている。把持板１３は、本実施形態では、３つに分割された態様となっているが、把持板を分割せず１つで形成する場合に比べ、このように把持板を複数分割にすることで、射出成形時に使用する金型の強度が大きくできる。そのため、商品陳列具１の製造工程では、品質管理の簡略化ができるほか、歩留まりが高く、品質の高い商品陳列具１を提供することができている。しかも、使用する材料をより少なくできることから、コストの抑制にもなる。
【００３３】
支持部２０は、２つとも前後方向Ｙに沿って延び、前後方向Ｙ前端で前方側板部１０と一体構造で接続されている。２つの支持部２０は、上下方向Ｚかつ前後方向Ｙに直交する左右方向Ｘに対し、前方側板部１０の中央に配置されたコイルバネ５０を挟み、互いに幅広に離間した位置に、平行な配置で形成されている。支持部２０にはそれぞれ、スライダー４０を直線的な動きで摺動させるガイド２２（ガイド凹設部２３、ガイド突起部２４）が形成され、各支持部２０の前後方向Ｙ後側には、バランス保持部３０が上下方向Ｚに垂設されている。
【００３４】
また、各支持部２０の前後方向Ｙ後端側は、接続リブ２８で連結され、２つの支持部２０と接続リブ２８との全体形状が、平面視で略コ字型になっている。図８に示すように、各支持部２０の裏側（上下方向Ｚ下側）は平面になっており、２つの支持部２０の裏面と、前方側板部１０の下面と、接続リブ２８の下面が、面一になっている。その反対に、図９〜図１１に示すように、各支持部２０の表側（上下方向Ｚ上側）は、商品パッケージ９０を載置する載置面２１と平行で、この載置面２１を含む平面に対し、互いに平行な２つ溝を前後方向Ｙに延ばして凹設した凹型形状に形成されている。
【００３５】
この２つ溝は、左右方向Ｘに対し前方側板部１０の中央寄り側に位置するガイド凹設部２３と、その外側に位置する凹設薄肉部２５である。ガイド２２は、ガイド凹設部２３とガイド突起部２４とからなる。ガイド凹設部２３は、スライダー４０の摺動突起部４６を嵌める走行溝である。また、図８及び図１１に示すように、ガイド突起部２４は、前方側板部１０の左右方向Ｘに対し、ガイド凹設部２３よりも中央寄りに位置する端面から、支持部２０の表側の一部を、さらに中央に向けて突出して形成され、スライダー４０の係留片４７を係留させるための突起となっている。
【００３６】
図８及び図１１に示すように、ガイド凹設部２３には、前側ストッパ２６が、前後方向Ｙの前側に、後側ストッパ２７がその後側に、それぞれ設けられている。前側ストッパ２６により、スライダー４０が前方側板部１０に接触するのを防止され、スライダー４０の移動に伴って変化するコイルバネ５０の伸長量の上限が、後側ストッパ２７によって制限されている。かくして、スライダー４０は、ガイド突起部２４に係留片４７を係留させ、左右方向Ｘの振れを抑止した状態で、摺動突起部４６をガイド凹設部２３に嵌め込むことにより、支持部２０の載置面２１上で、前側ストッパ２６と後側ストッパ２７との間のストローク範囲を、前後方向Ｙに直線的に摺動する。
【００３７】
なお、商品陳列具１の使用にあたり、凹設薄肉部２５は、支持部２０で必要となる耐強度を満たした上で、コストの低減を図るため、樹脂の肉厚を小さくした部分であり、このような薄肉部２５は、接続リブ２８の表側にも施されている。
【００３８】
次に、バランス保持部３０について、説明する。バランス保持部３０は、各支持部２０の前後方向Ｙ後端に１つ、左右両側の支持部２０に計２つ有している。バランス保持部３０は、左右方向Ｘに対し、支持部２０を挟み、コイルバネ５０のある側とは反対側（支持部２０の左右方向Ｘ外側）に、支持部２０と一体構造で接続されている。
【００３９】
具体的には、バランス保持部３０は、前方側板部１０と平行で、支持部２０より上下方向Ｚに垂設された後方側板部３１と、この後方側板部３１と直交して前後方向Ｙに延びる底部３３と、を具備している。後方側板部３１は、底部３３に接続するリブ３２により補強された状態で、立設している。後方側板部３１の高さＨｒは、スライダー４０の高さＨｓに対し、１／２以上の高さに形成され、本実施形態では、図６に示すように、支持部２０の載置面２１とスライダー４０の最上面との高さＨｓが８０ｍｍ、後方側板部３１の最下面からの高さＨｒが４２ｍｍで、高さＨｓのおよそ１／２になっている。
【００４０】
底部３３には、厚さ数ｍｍの平板状の樹脂製磁石３５が、粘着テープ等で貼付されている。なお、ガイド凹設部２３に設けた後側ストッパ２７は、底部３３を支持部２０と一体構造で接続する上で、補強リブとしての機能も有する。
【００４１】
次に、本実施の形態に係る商品陳列具の作用・効果について説明する。本実施形態に係る商品陳列具１は、上下方向Ｚに垂設された前方側板部１０と、前後方向Ｙに沿い前方側板部１０に向けて移動可能なスライダー４０とを有し、商品を収容した商品パッケージ９０を、前方側板部１０とスライダー４０との間に整列した配置で陳列する商品陳列具において、商品パッケージ９０を載置する載置面２１が前後方向Ｙに沿って延び、前後方向Ｙ前端で前方側板部１０と一体で接続する支持部２０を２つ、上下方向Ｚかつ前後方向Ｙに直交する左右方向Ｘに対し、互いに離間した位置に有し、２つの支持部２０には、スライダー４０を直線的な動きで摺動させるガイド２２と、前後方向Ｙ後側に、上下方向Ｚに後方側板部３１を垂設したバランス保持部３０と、が具備されていること、スライダー４０は、前後方向Ｙに対し、配置した商品パッケージ９０と当接可能なパッケージ当接面４２を前側に含み、後側に向けて厚みを有して立設された本体部４１と、本体部４１の後側に膨らんで形成された膨出部４３と、ガイド２２と係留可能な係留部４５と、を有し、前方側板部１０との間にコイルバネ５０を介在して、２つの支持部２０上を移動すること、コイルバネ５０は、前方側板部１０の下端に位置する第１係止部１４と、膨出部４３の下端に位置する第２係止部４４との間を、本体部４１の下を通じることにより、本体部４１に覆われた状態で、前方側板部１０側に付勢して設けられていること、を特徴とする。この特徴により、商品陳列具１は、特許文献１の陳列具１０１に比して、コイルバネ５０に対し、埃等の異物の経時的な付着を、大幅に抑制することができるほか、特許文献１の陳列具１０１と異なり、コイルバネ５０に付着した埃等の異物を頻繁に除去する必要がなく、商品陳列具１のメンテナンスが簡素化できる。加えて、コイルバネ５０は、客の視野にほとんど入らない位置に配設されているため、特許文献１の陳列具１０１に比して、商品陳列具１における外観上の見栄えは良い。また、商品陳列具１は、必要のない仕様を排除してシンプルな構造で構成されているため、安価である。
【００４２】
従って、本実施形態に係る商品陳列具１によれば、パッケージ化されたケース入りの商品９０（商品パッケージ９０）を整列した配置で陳列する商品陳列具１を、店舗内の商品陳列棚８０に設置するにあたり、使い勝手が良く、かつ安価に提供することができる、という優れた効果を奏する。
【００４３】
また、本実施形態に係る商品陳列具１では、バランス保持部３０は、前方側板部１０と直交して前後方向Ｙに延びる底部３３を有し、底部３３には、磁石３５が配設されていること、を特徴とする。この特徴により、商品陳列棚８０が、鉄板等、磁性を有した材料で構成されていれば、商品陳列具１を商品陳列棚８０に置くだけで、商品陳列具１が商品陳列棚８０に簡単に固定できる。
【００４４】
ところで、商品陳列棚８０に設置された状態の商品陳列具１に対し、客が、商品陳列具１に陳列されている商品パッケージ９０の中から、選択した商品パッケージ９０を、商品陳列具１の斜め前方の位置から取り出す場合がある。また、店員が、商品パッケージ９０を斜め前方の位置から商品陳列具１に陳列する場合等もある。しかしながら、このような場合でも、バランス保持部３０同士が、前方側板部１０の左右方向Ｘの両端面間距離に合わせて、幅広に離間して配置されているため、商品陳列具１は、商品陳列棚８０上で左右方向Ｘに振れ難く、商品陳列具１で陳列されている商品パッケージ９０の整列状態が乱れるのを抑制することができている。
【００４５】
また、本実施形態に係る商品陳列具１では、コイルバネ５０は、２つの支持部２０に挟まれ、かつ各支持部の載置面より低い位置に配置されていること、を特徴とする。この特徴により、商品パッケージ９０を整列配置で商品陳列具１に陳列した状態では、図１及び図１２に示すように、コイルバネ５０の上方側を、スライダー４０の本体部４１と、支持部２０の載置面２１上に載置した商品パッケージ９０で、その側方側を、２つの支持部２０で覆うことができる。そのため、コイルバネ５０に埃等の異物が経時的に付着するのを抑制することができることから、コイルバネ５０において、異物の付着に起因した伸縮の不具合が発生し難くなり、スライダー４０による商品パッケージ９０の送出動作を、長期間、スムーズに維持することができる。加えて、コイルバネ５０は、客の視野にほとんど入らないため、商品陳列具１における外観上の見栄えも良い。
【００４６】
また、本実施形態に係る商品陳列具１では、後方側板部３１は、スライダー４０の高さＨｓに対し、１／２以上の高さＨｒで形成されていること、を特徴とする。この特徴により、商品陳列具１が、後方側板部３１を壁８１に当接可能な状態で商品陳列棚８０に設置されている場合、店員等が、持ち運ばれてきた商品パッケージ９０を、商品陳列具１の支持部２０の載置面２１に載置して陳列しようとするとき、前方側板部１０側での商品陳列具１の浮上を効果的に防止することができる。
【００４７】
すなわち、商品陳列具１が特に、壁８１から多少離れた位置に後方側板部３１を配置した状態で、商品陳列棚８０に設置されている場合、店員等は、図１３に示すように、持ち運ばれてきた商品パッケージ９０を、商品陳列具１に向けた斜め下向きの姿勢で載置スペース内に挿入して、載置面２１上に陳列しようとすることがある。このような場合、スライダー４０の頂端部Ｐ付近は、商品パッケージ９０の挿入時に掛かる店員等の外力に基づいた作用点になり、商品陳列具１のバランス保持部３０の後方下端にある下端角部Ｑ付近が、この外力に基づく支点となる。そのため、店員等が、商品パッケージ９０を商品陳列具１の載置スペース内に挿入すると、図１３に示すように、上述した外力に基づいて、下端角部Ｑを支点とする回転力が発生し、商品陳列具１は、下端角部Ｑを支点に時計周り方向に回転しようとし、前方側板部１０側で浮上することもある。
【００４８】
しかしながら、後方側板部３１が、スライダー４０の高さＨｓに対し、１／２以上の高さＨｒで形成されていると、後方側板部３１が壁８１に当接することで、商品陳列具１の回転を抑えることができる。後方側板部３１の高さＨｒが低いと、後方側板部３１の頂端部付近が、上述した外力に基づく新たな支点となり、商品陳列具１が、この支点を中心に回転してしまい、商品陳列具１の回転を十分に抑えることができない。その反対に、後方側板部３１の高さＨｒを、スライダー４０の高さＨｓに近い高さにすると、商品陳列具１の回転を十分に抑えることはできるが、商品陳列具１の美観を損なってしまう点で、好ましくない。従って、商品陳列具１の美観を適度に保ちつつ、商品陳列具１の回転を抑えるのに足る後方側板部３１の高さＨｒが、スライダー４０の高さＨｓの１／２程度となる。
【００４９】
また、本実施形態に係る商品陳列具１では、商品パッケージ９０は、デジタル情報を記録したディスクとして、音楽等を収録したＣＤや、映像等を収録したＤＶＤ等を、専用のケースに収容してパッケージ化されたケース入りの商品９０であり、当該商品陳列具１は、ケース入りの商品９０を、主に客への貸し出しを行う店舗、いわゆるＣＤ等の「レンタルショップ」で、商品陳列棚８０の上に設置して使用するものであること、を特徴とする。この特徴により、商品陳列具１は、シンプルな構造にもかかわらず、より機能的に構成されているため、レンタルショップに訪れた客が、所望のケース入りの商品９０を商品陳列具１から取り出す場合や、店員が、ケース入りの商品９０を商品陳列具１に陳列する作業を行う場合でも、商品陳列具１の使い勝手は良い。また、商品陳列具１は、特許文献１の陳列具１０１と異なり、コイルバネ５０に付着した埃等の異物を頻繁に除去する必要がなく、商品陳列具１のメンテナンスが簡素化できる。ひいては、商品陳列具１は、店舗側にとって、ケース入りの商品９０を店内で陳列する上で、コストパフォーマンスに富む陳列具となり得る。
【００５０】
以上において、本発明を実施形態に即して説明したが、本発明は上記実施形態に限定されるものではなく、その要旨を逸脱しない範囲で、適宜変更して適用できる。
（１）例えば、実施形態では、コイルバネ５０を１つ、前方側板部１０の左右方向Ｘ中央の第１係止部１４と、膨出部４３の左右方向Ｘ中央の第２係止部４４との間に配設した。しかしながら、コイルバネ５０等の弾性部材を装着する位置は、前方側板部の下端に位置する第１係止部と、膨出部の下端に位置する第２係止部との間を、本体部の下を通じることにより、本体部に覆われた状態で、前方側板部側に付勢して配設できる位置であれば、どこでも良い。また、弾性部材を装着する数量は、複数でも良い。
【００５１】
（２）また、実施形態では、弾性部材をコイルバネ５０としたが、弾性部材は、例えば、伸縮自在なゴム等でも良く、伸長した弾性部材の復元力により、スライダーを前方側板部側に付勢して押圧できるものであれば、何でも良い。
（３）また、実施形態では、商品陳列具１を、ＰＣ材やＨＩＰＳ材等の樹脂で構成したが、商品陳列具の材質は、ＰＣ材やＨＩＰＳ材等の樹脂以外にも、例えば、射出成形法で成形可能な樹脂材や、二色成形法で成形可能な樹脂材等でも良く、適宜変更可能である。
（４）また、実施形態では、商品陳列具１を磁石３５で商品陳列棚８０に取付けたが、商品陳列具が磁石で商品陳列棚に取付けできない場合には、商品陳列具は、例えば、両面テープや、商品陳列棚との間を固定具で留める等して、商品陳列棚に取付けても良い。
【符号の説明】
【００５２】
１  商品陳列具
１０  前方側板部
１４  第１係止部
２０  支持部
２２  ガイド
３０  バランス保持部
３１  後方側板部
３３  底部
３５  磁石
４０  スライダー
４１  本体部
４２  パッケージ当接面
４３  膨出部
４４  第２係止部
４５  係留部
５０  コイルバネ（弾性部材）
９０  商品パッケージ、ケース入りの商品
Ｘ  左右方向
Ｙ  前後方向
Ｚ  上下方向
Ｈｓ  スライダーの高さ
Ｈｒ  後方側板部の高さ
【図１】
2019017712.tif 000003
【図２】
2019017712.tif 000004
【図３】
2019017712.tif 000005
【図４】
2019017712.tif 000006
【図５】
2019017712.tif 000007
【図６】
2019017712.tif 000008
【図７】
2019017712.tif 000009
【図８】
2019017712.tif 000010
【図９】
2019017712.tif 000011
【図１０】
2019017712.tif 000012
【図１１】
2019017712.tif 000013
【図１２】
2019017712.tif 000014
【図１３】
2019017712.tif 000015
【図１４】
2019017712.tif 000016
【図１５】
2019017712.tif 000017
【図１６】
2019017712.tif 000018
【図１７】
2019017712.tif 000019